(57)【要約】【課題】放送局とＴＳＩＤとの関係が一対一ではないデジタル放送波を受信する場合であっても、同一番組を検出して受信することが可能なデジタル放送受信装置を提供する。【解決手段】本発明のデジタル放送受信装置は、選局指示を受け付けて放送波の受信及び選局を行う放送受信部を備える。また放送受信部により選局された放送波を示す識別情報と、この放送波に含まれる複数の放送番組のうち選局指示された放送番組を示す番組識別情報とを放送波より取得する検出部を備える。さらに検出部は、選局指示された放送波の受信感度が所定の閾値を下回った場合に、予め取得している識別情報及び番組識別情報と同一の識別情報及び番組識別情報を含む放送波を、放送受信部により受信される放送波から検出する。【選択図】図６
2012160808.tif 000002
【特許請求の範囲】
【請求項１】
選局指示を受け付けて放送波の受信及び選局を行う放送受信部を備えるデジタル放送受信装置において、
前記放送受信部により選局された放送波を示す識別情報と、該放送波に含まれる放送番組のうち前記選局指示で指示された放送番組を示す番組識別情報とを該放送波より取得し、該放送波の受信感度が予め定められた閾値を下回った場合に、予め取得している前記識別情報及び前記番組識別情報と同一の情報を含む放送波を、前記放送受信部が受信する放送波から検出する検出部を備えること
を特徴とするデジタル放送受信装置。
【請求項２】
前記検出部による前記放送波の検出が成功した場合に、該放送波の受信を実施するよう前記放送受信部を制御する受信制御部を備えること
を特徴とする請求項１に記載のデジタル放送受信装置。
【請求項３】
前記検出部は、放送波のＴＳＩＤ（Transport Stream Id）を前記識別情報として用いるとともに、該放送波に含まれるＥＩＴ（Event Information Table）に示されているイベントＩＤを前記番組識別情報として用いること
を特徴とする請求項２に記載のデジタル放送受信装置。
【請求項４】
前記検出部は、予め取得している前記識別情報及び前記番組識別情報と同一の情報を含む放送波を検出する際に、前記番組識別情報が示す放送番組の放送終了時刻を前記放送波に含まれる番組情報から取得して該放送番組が終了しているか否かを判定し、終了している場合に、前記番組識別情報の一致／不一致にかかわらず、前記識別情報が一致する放送波への受信変更、または受信中の放送波の受信継続を実施するよう、前記放送受信部を制御すること
を特徴とする請求項３に記載のデジタル放送受信装置。
【請求項５】
放送波の識別情報と該放送波を受信するための周波数帯域とを関連付けた関連情報を記録する記録部を備え、
前記受信制御部は、前記選局指示に示されている放送波を受信するための周波数帯域を前記関連情報により判別し、判別した前記周波数帯域による受信及び選局を行うよう前記放送受信部を制御し、
前記検出部は、該放送波の受信感度が予め定められた閾値を下回った場合に、前記関連情報に示されている周波数帯域による放送波の検出を行うよう前記受信制御部を制御し、検出された放送波から、予め取得している前記識別情報及び前記番組識別情報と同一の情報を含む放送波を検出すること
を特徴とする請求項１から４のいずれかに記載のデジタル放送受信装置。
【発明の詳細な説明】
【技術分野】
【０００１】
本発明は、デジタル放送波を受信するデジタル放送受信装置に関するものであり、特に複数の放送局から放送波を受信する機能を備えた移動体用のデジタル放送受信装置に関する。
【背景技術】
【０００２】
近年、デジタル放送の一つとして、地上デジタル放送が存在する。日本においては現行の地上アナログ放送は２０１１年に放送終了予定であり、地上デジタル放送への移行が進められている。これに伴い、カーナビや携帯電話等に搭載される移動体用のデジタル放送受信装置も、広く開発が行われている。
【０００３】
地上デジタル放送では、広地域で同一の放送を実現するため、複数の放送局から同一の放送波を送信する仕組みが実用化されている。特に移動体用のデジタル放送受信装置では、受信状態が劣化した場合に自動的に放送局をサーチし、受信状態が良い放送局に切り換える機能を備えるものが実用化されている。
【０００４】
例えば車載用のデジタル放送受信装置であれば、走行中に自車の位置、速度等により受信状態が刻々と変化する。そして現在の放送地域と移動先の地域との境界域に近づくにつれて、現在の放送地域に向けられた放送波の受信が困難となる。そして移動先の地域に向けられた放送波の受信が可能となる。上記のサーチ機能は、このような境界域において効果を発揮する。
【０００５】
上記に関連して特許文献１においては、頻繁な再選局動作を防ぎ、好適な受信状態を維持できると共に、好適な受信レベルのチャンネルを選局することを目的としたデジタル放送受信装置が開示されている。
【先行技術文献】
【特許文献】
【０００６】
【特許文献１】特開２００７−３１２１１０号公報
【発明の概要】
【発明が解決しようとする課題】
【０００７】
特許文献１に開示されているような従来のデジタル放送受信装置によれば、受信状態が悪化した時点で、同一番組を放送している物理チャンネルを放送データから把握し、ユーザ操作を必要とすることなく選局することができる。
【０００８】
具体的には例えば、放送局単位でユニークであるＴＳＩＤ（Transport Stream Id）と、放送波の内容が同一であると推定される複数の物理チャンネルとを関連付けたデータベースを作成する。そして受信感度が低下した場合に、受信中の放送波のＴＳＩＤに関連付けられている物理チャンネルをデータベースより判別し、この物理チャンネルによる受信を試行する。これにより、ユーザが同一番組を継続的に視聴できるようにする。
【０００９】
上記の技術は、ＴＳＩＤ単位で放送局がユニークであることが前提となっている。例えばＡＲＩＢ（Association of Radio Industries and Broadcast＝社団法人電波産業会）標準規格の技術資料番号ＴＲ−Ｂ１４では、ＴＳＩＤはｎｅｔｗｏｒｋ＿ｉｄと同値であることが規定されている。このため、ＴＳＩＤと放送局とは一対一の関係になる。
【００１０】
しかしながらデジタル放送の規格によっては、複数の放送局が同一のＴＳＩＤを共有する運用形態も想定されうる。この運用形態の場合、例えば受信状態が悪化した際に、同一番組を放送している放送局をＴＳＩＤに基づいて検出しようとしたとしても、ＴＳＩＤは同じだが放送内容が異なる放送局を検出してしまう可能性がある。この結果、ユーザが同一番組を継続的に視聴できないという問題がある。
【００１１】
本発明は、上記の問題を解決するためになされたものであり、その目的は、複数の放送局から放送波を受信する機能を備えた移動体用のデジタル放送受信装置であって、放送局とＴＳＩＤとの関係が一対一ではない運用形態のデジタル放送波を受信する場合であっても、同一番組を放送している放送波を検出して受信することが可能なデジタル放送受信装置を提供することにある。
【課題を解決するための手段】
【００１２】
上記目的を達成するために本発明のデジタル放送受信装置は、選局指示を受け付けて放送波の受信及び選局を行う放送受信部を備えるデジタル放送受信装置において、前記放送受信部により選局された放送波を示す識別情報と、該放送波に含まれる放送番組のうち前記選局指示で指示された放送番組を示す番組識別情報とを該放送波より取得し、該放送波の受信感度が予め定められた閾値を下回った場合に、予め取得している前記識別情報及び前記番組識別情報と同一の情報を含む放送波を、前記放送受信部が受信する放送波から検出する検出部を備えることを特徴とする。
【００１３】
この構成によると、本発明のデジタル放送受信装置は、選局指示を受け付けて放送波の受信及び選局を行う放送受信部を備える。また放送受信部により選局された放送波を示す識別情報と、この放送波に含まれる複数の放送番組のうち選局指示された放送番組を示す番組識別情報とを放送波より取得する検出部を備える。さらに検出部は、選局指示された放送波の受信感度が所定の閾値を下回った場合に、予め取得している識別情報及び番組識別情報と同一の識別情報及び番組識別情報を含む放送波を、放送受信部により受信される放送波から検出する。
【００１４】
また上記目的を達成するために本発明のデジタル放送受信装置は、前記検出部による前記放送波の検出が成功した場合に、該放送波の受信を実施するよう前記放送受信部を制御する受信制御部を備えることを特徴とする。
【００１５】
この構成によると、本発明のデジタル放送受信装置は、受信感度が所定の閾値を下回り且つ検出部による放送波の検出が成功した場合に、選局を行い、検出された放送波の受信を実施するよう放送受信部を制御する受信制御部を備える。
【００１６】
また上記目的を達成するために、前記検出部は、放送波のＴＳＩＤ（Transport Stream Id）を前記識別情報として用いるとともに、該放送波に含まれるＥＩＴ（Event Information Table）に示されているイベントＩＤを前記番組識別情報として用いることを特徴とする。
【００１７】
この構成によると、検出部は、放送波のＴＳＩＤを識別情報として用いるとともに、この放送波に含まれるＥＩＴに示されているイベントＩＤを番組識別情報として用いる。
【００１８】
また上記目的を達成するために、前記検出部は、予め取得している前記識別情報及び前記番組識別情報と同一の情報を含む放送波を検出する際に、前記番組識別情報が示す放送番組の放送終了時刻を前記放送波に含まれる番組情報から取得して該放送番組が終了しているか否かを判定し、終了している場合に、前記番組識別情報の一致／不一致にかかわらず、前記識別情報が一致する放送波への受信変更、または受信中の放送波の受信継続を実施するよう、前記放送受信部を制御することを特徴とする。
【００１９】
この構成によると、検出部は、予め取得している識別情報及び番組識別情報と同一の識別情報及び番組識別情報を含む放送波を検出する際に、番組識別情報が示す放送番組の放送終了時刻を、放送波に含まれる番組情報、例えばＥＰＧから取得する。そしてこの放送番組が終了しているか否かを判定する。終了している場合、検出部は、上記の両番組識別情報の一致／不一致にかかわらず、識別情報が一致する放送波の受信を実施するよう放送受信部を制御する。或いは、受信中の放送波、つまり受信感度が低下した放送波の受信を継続するよう、放送受信部を制御する。
【００２０】
また上記目的を達成するために、本発明のデジタル放送受信装置は、放送波の識別情報と該放送波を受信するための周波数帯域とを関連付けた関連情報を記録する記録部を備え、前記受信制御部は、前記選局指示に示されている放送波を受信するための周波数帯域を前記関連情報により判別し、判別した前記周波数帯域による受信及び選局を行うよう前記放送受信部を制御し、前記検出部は、該放送波の受信感度が予め定められた閾値を下回った場合に、前記関連情報に示されている周波数帯域による放送波の検出を行うよう前記受信制御部を制御し、検出された放送波から、予め取得している前記識別情報及び前記番組識別情報と同一の情報を含む放送波を検出することことを特徴とする。
【００２１】
この構成によると、本発明のデジタル放送受信装置は、放送波の識別情報とこの放送波を受信するための周波数帯域とを関連付けた関連情報を記録する記録部を備えている。受信制御部は、選局指示された放送波を受信するための周波数帯域を、関連情報により判別する。そして判別した周波数帯域による受信及び選局を行うよう、放送受信部を制御する。また検出部は、受信中の放送波の受信感度が閾値を下回った場合に、関連情報に示されている周波数帯域を用いて放送波を検出するよう、受信制御部を制御する。そして検出された放送波の中から、予め取得している識別情報及び番組識別情報と同一の識別情報及び番組識別情報を含む放送波を検出する。
【発明の効果】
【００２２】
本発明によれば、放送局とその識別情報との関係が一対一ではない運用形態のデジタル放送波を受信する場合において、番組識別情報、つまりＥＩＴに示されているイベントＩＤを用いて、受信中である放送番組と同一の放送番組を検出し、選局する。
【００２３】
これにより、受信感度が低下したとしても、同一番組を受信できる確率を高めることができる。つまり、ユーザが同一の放送番組を継続的に視聴できる可能性を高めることができる。また、ユーザの意図しない放送番組が受信されるのを回避することができる。また、選局指示された放送番組が検出処理中に終了してしまった場合に、検出処理を中断するので、不要な処理が発生するのを回避できる。
【図面の簡単な説明】
【００２４】
【図１】本発明のデジタル放送受信装置の内部構成を示すブロック図である。
【図２】本発明の機能部の構成を示すブロック図である。
【図３】チャンネルテーブルを示すテーブル図である。
【図４】放送波に含まれる情報を示す模式図である。
【図５】放送波に含まれる情報を示す模式図である。
【図６】本発明の第一の実施形態に係る番組検出処理を示すフロー図である。
【図７】放送局とその識別情報との関係を示す模式図である。
【図８】本発明の第二の実施形態に係る番組検出処理を示すフロー図である。
【発明を実施するための形態】
【００２５】
以下に本発明の実施形態を、図面を参照しながら説明する。なお、ここで示す実施形態は一例であり、本発明はここに示す実施形態に限定されるものではない。
［実施の形態１］
〈１−１．内部構成について〉
図１は、本発明の一実施形態に係る車載用受信装置１００（＝デジタル放送受信装置）の内部構成を示すブロック図である。図１のブロック図に示すように、本発明の車載用受信装置１００は、外部装置としてダイバーシティアンテナ１を接続可能である。
【００２６】
また車載用受信装置１００は少なくとも、チューナ１１（＝放送受信部）、復調部１２（＝放送受信部）、操作入力部１３、ＣＰＵ１４、ＲＡＭ１５（＝記録部）、ＲＯＭ１６、オーディオフィルタ１７、オーディオデコーダ１８、ビデオフィルタ１９、ビデオデコーダ２０、データフィルタ２１、データデコーダ２２、及び出力部２３を備えている。
【００２７】
チューナ１１は、ダイバーシティアンテナ１から地上デジタル放送信号を受信し、所望の物理チャンネル（＝周波数帯域）での選局を行う。またチューナ１１は、選局中の物理チャンネルにおいて放送波が受信不可となったか否かを監視する。具体的には例えば、車載用受信装置１００を搭載した車両が受信地域を跨ぐ等により、これまで受信していた放送波の電界強度が所定の閾値を下回った場合に、受信不可となったとみなす。
【００２８】
復調部１２は、チューナ１１から入力される選局された信号を復調及びエラー訂正し、ワンセグと１２セグとの、それぞれのＴＳを出力する。復調部１２により復調されたＴＳは、後述するオーディオフィルタ１７、ビデオフィルタ１９、及びデータフィルタ２１に与えられる。
【００２９】
なお、ワンセグ放送のみに対応した機器の場合は、受信できるのはワンセグにかかるデジタル放送信号のみとなる。このため、こういった機器における復調部１２では、チューナ１１により受信されたデジタル放送信号からワンセグにかかるＴＳ信号を出力するものとする。
【００３０】
操作入力部１３は、不図示のリモコン、及びリモコン受光部を含む。リモコンには、車載用受信装置１００に対して選局指示等を行うための、プッシュボタンやタッチセンサ等が備えられている。また操作入力部１３は、車載用受信装置１００のハウジングに設けられたハードキーやタッチパネル等を含む。操作入力部１３は、上記装置のいずれかにより受け付けたユーザ操作に基づく操作信号を生成し、出力する。なお操作入力部１３は、必ずしも上記装置の全てを含む必要はなく、上記装置の一部のみを含む形態でもよい。
【００３１】
ＣＰＵ１４は、各種演算、処理、制御を行う演算処理装置である。ＣＰＵ１４は、車載用受信装置１００の各部材の駆動を有機的に制御して、放送受信処理等を統括制御する。ＲＡＭ１５は、ＣＰＵ１４のワークメモリ等に用いられる。ＲＯＭ１６は、ＣＰＵ１４が実行する制御プログラム等を格納する。
【００３２】
オーディオフィルタ１７は、復調部１２から出力されたＴＳからオーディオデータのみを抽出する。オーディオデコーダ１８は、抽出されたオーディオデータを復号してデジタル音声信号を生成し、後述する出力部２３へ与える。
【００３３】
ビデオフィルタ１９は、復調部１２から出力されたＴＳからビデオデータのみを抽出する。ビデオデコーダ２０は、抽出されたビデオデータを復号してデジタル画像信号を生成し、後述する出力部２３へ与える。
【００３４】
データフィルタ２１は、復調部１２から出力されたＴＳから伝送パラメータ、ＥＩＴ（Event Information Table）、番組情報、データ放送等のデータを抽出する。データデコーダ２２は、抽出されたデータを復号する。復号されたデータは、ＲＡＭ１５等に記録される。
【００３５】
出力部２３は液晶モニタ等の表示装置や、スピーカ等の音声装置を接続して画像信号及び音声信号を出力するための出力端子を含む。
〈１−２．機能部の構成について〉
ここで、本発明の第一の実施形態に係る番組検出処理を実施するための各機能部の関係を、図２の機能ブロック図を用いながら説明する。なお図２においてＣＰＵ１４の内部に図示されている機能ブロックは、ＣＰＵ１４が所定のプログラムを実行することにより実現される機能部を表している。
【００３６】
図２に示すように、本実施形態の番組検出処理は、サーチ部１４ａ（＝受信制御部）、テーブル作成部１４ｂ、及び検出部１４ｃにより実施される。
【００３７】
サーチ部１４ａは、所定の放送波の受信を試行するサーチ処理を行う。サーチ部１４ａは、図３に示すチャンネルテーブル（＝関連情報）を用いて、ユーザに指定された番組（＝放送番組）を放送していると推定される放送波（以下、「指定放送波」という）の受信を試行する。なおチャンネルテーブルは、後述するテーブル作成部１４ｂにより生成される。また番組の指定受け付けは、例えばＯＳＤ処理部（不図示）が生成するＥＰＧ（Electronic Program Guide）と操作入力部１３とを用いて行う。
【００３８】
サーチ部１４ａは、受信した放送波のＴＳＩＤ（＝識別情報）が指定放送波のＴＳＩＤと一致する場合、この放送波を継続的に受信するよう、復調部１２を制御する。受信に失敗した場合、またはＴＳＩＤが異なる場合、サーチ部１４ａはチャンネルテーブルに含まれる未チェックの物理チャンネルを用いて、指定放送波の受信を試行する。
【００３９】
テーブル作成部１４ｂは、放送波に含まれるＮＩＴやＰＡＴ（Program Association Table）、ＰＭＴ（Program Map Table）等の解析により、受信放送波のＴＳＩＤや中継局チャンネルを判別し、チャンネルテーブルを生成し、ＲＡＭ１５等に記録する。なおこれらの各種情報は、データフィルタ２１またはデータデコーダ２２により生成される情報より取得する。
【００４０】
チャンネルテーブルは、図３に示すように、放送波に含まれるＴＳＩＤを主キーにしている。ＴＳＩＤは、予め放送局毎に割り当てられている識別情報である。図３のテーブル一行分のデータは、一放送局に関連付けられている複数の中継局チャンネルを示している。
【００４１】
例えば図３の状態において、ユーザが物理チャンネル１３ｃｈ（＝Ａテレビ・大阪）に対応付けられているリモコンボタンを押下し、且つ選局された物理チャンネル１３ｃｈの受信感度が閾値を下回っていたとする。この場合、サーチ部１４ａは、Ａテレビ・大阪のその他の物理チャンネル、例えば物理チャンネル１９ｃｈによる受信を試行する。以上の繰り返しにより、サーチ部１４ａは受信可能な物理チャンネルを検索する。
【００４２】
検出部１４ｃは、任意の放送波の受信中に受信感度が低下した際に、受信中であった放送波に含まれる番組と同内容の番組（以下、「同一番組」という）を検出する番組検出処理を行う。具体的には、放送波のＴＳＩＤ及びこの放送波に含まれる番組のイベントＩＤ（＝番組識別情報）が一致する場合に、同一番組とみなす。そしてこの同一番組を放送している放送波を受信するよう、サーチ部１４ａに指示する。
【００４３】
イベントＩＤとは、放送局がＥＩＴに含めて送出する番組毎の識別情報である。放送局は、異なる番組に対して異なるイベントＩＤを付加する。検出部１４ｃは、複数の番組のイベントＩＤを比較することにより、両番組が同一番組であるか否かを判定する。
【００４４】
次に、一放送波で提供される複数のサービスについて、図４を用いて説明する。図４に示すように、各サービスには固有のサービスＩＤが付与されている。なお一つのサービスＩＤに対し、一つのＰＭＴが存在する。ただしサービスＩＤが同一であっても、各サービスが提供する番組が同一であるとは限らない。
【００４５】
例えば図４（ａ）は、大阪近郊に位置する放送局である、Ａテレビ・大阪の放送波に含まれる情報の一部を示している。Ａテレビ・大阪は、図４（ａ）に示すように、サービスＩＤが０ｘ０４００〜０ｘ０４０２である、三つのサービスを含んでいる。このうち、サービスＩＤが０ｘ０４００であるサービスで提供されている番組の一覧が、図５（ａ）である。
【００４６】
同様に図４（ｂ）は、奈良近郊に位置する放送局である、Ａテレビ・奈良の放送波に含まれる情報の一部を示している。またＡテレビ・奈良で提供されるサービスのうち、サービスＩＤが０ｘ０４００であるサービスで提供されている番組一覧が、図５（ｂ）である。
【００４７】
図５に示すように、地域が異なり放送局が異なると、同一のサービスＩＤであっても提供される番組が異なる場合がある。具体的には、１５：５０〜１６：００の時間帯と、１７：００〜１８：００の時間帯に提供される番組が異なっている。従って、同時間帯におけるイベントＩＤの値も異なるものとなっている。以上のことから検出部１４ｃは、サービスＩＤではなくイベントＩＤを用いて、番組の一致／不一致を判定する。
〈１−３．番組検出処理について〉
ここで、本発明の第一の実施形態に係る車載用受信装置１００が実施する番組検出処理の処理フローについて、図６のフロー図を用いながら説明する。なお本実施形態の処理フローは、例えば所定の放送波を受信中であり、且つ受信中の放送波の受信感度が低下して所定の閾値を下回ったことが検知された場合に開始される。
【００４８】
本処理の開始後、サーチ部１４ａはステップＳ１１０において、選局対象の物理チャンネルの中に、未サーチの物理チャンネルが存在するか否かを判定する。なお本実施形態における選局対象の物理チャンネルとは、チャンネルテーブルに示されている放送局毎の中継局チャンネルを指すものとする。
【００４９】
また以下では、選局指示された番組が図５に示すバラエティＡであり、この番組を放送している放送局がＡテレビ・大阪、及びＡテレビ・奈良である場合を例にして説明を行う。
【００５０】
ステップＳ１１０において未サーチの物理チャンネルが存在しない場合、つまり図３に示されているＡテレビ・大阪の１９ｃｈ、３７ｃｈ、４７ｃｈ、１３ｃｈの全てに対してサーチが行われた場合、ステップＳ１１１へ移行する。サーチ部１４ａはステップＳ１１１において、所定時間だけ待機を行う。そして所定時間の経過後、サーチ処理履歴を初期化し、再びステップＳ１１０へ移行する。これにより、再び１９ｃｈ〜１３ｃｈのサーチを再試行する。
【００５１】
ステップＳ１１０において未サーチの物理チャンネルが存在する場合、サーチ部１４ａはステップＳ１２０において、次にサーチすべき物理チャンネルを、チャンネルテーブルより判別する。例えば、図３のチャンネルテーブルにおいて、前回サーチした物理チャンネルの右隣に示されている物理チャンネルを、次にサーチすべき物理チャンネルとする。或いは、未サーチの物理チャンネルのうち、チャンネルテーブルにおいて最も左側に示されている物理チャンネルを、次にサーチすべき物理チャンネルとする形態でもよい。そして判別した物理チャンネルによる受信を試行する。
【００５２】
次にサーチ部１４ａはステップＳ１３０において、上記の物理チャンネルによる受信に成功したか否かを判定する。受信に失敗した場合、再びステップＳ１１０へ移行する。受信に成功した場合、サーチ部１４ａはステップＳ１４０において、本処理開始時に受信していた放送波と同一のＴＳＩＤの放送波を受信したか否かを判定する。
【００５３】
なおＴＳＩＤの取得は、受信した放送波に含まれるＮＩＴやＰＡＴ、またはＰＭＴの解析することにより行う。例えば、本処理開始時に受信していた放送波が図７に示すＡテレビ・大阪であったとする。そして図７に示すように、車載用受信装置１００を搭載した車両が、大阪近郊から奈良近郊へ移動したとする。
【００５４】
この結果、徐々にＡテレビ・大阪の放送波が受信できなくなり、次第に奈良近郊のＡテレビ・奈良の放送波を受信できるようになる。このため、奈良近郊で受信に成功した放送波のＴＳＩＤが、Ａテレビ・大阪のＴＳＩＤ（＝０ｘ７ＦＥ０）と一致するか否かを判定する。
【００５５】
図７の例では、Ａテレビ・大阪とＡテレビ・奈良とはＴＳＩＤが同一である。このため上記の判定で、一致するとみなされる。一致する場合、ステップＳ１５０に移行する。一致しない場合、再びステップＳ１１０へ移行する。
【００５６】
検出部１４ｃはステップＳ１５０において、放送波に含まれる番組のイベントＩＤのうち、ユーザ指定された番組のイベントＩＤと一致するイベントＩＤが存在するか否かを判定する。
【００５７】
イベントＩＤが一致する番組が存在しない場合、再びステップＳ１１０へ移行する。イベントＩＤが一致する番組が存在する場合、サーチ部１４ａはステップＳ１６０において、イベントＩＤが一致した番組を放送している物理チャンネルを選局し、放送波の受信を開始するよう、チューナ１１及び復調部１２を制御する。これによりユーザが同一番組を視聴できる状態となり、本処理を終了する。
【００５８】
例えば図５に示すように、現在時刻が１５時３０分である場合、両放送局が放送している番組のイベントＩＤは０ｘ２０００であり、一致する。この結果、同一番組であるとみなし、サーチ部１４ａが選局する放送局を、Ａテレビ・大阪からＡテレビ・奈良へ変更する。なおこの際、変更対象とする放送局が所定の放送局の中継局であるか否かは問わない。
【００５９】
逆に、現在時刻が１５時５５分であれば、両放送局が放送している番組のイベントＩＤは０ｘ２００１と０ｘ３００１であり、異なる。この結果、異なる番組であるとみなし、サーチ部１４ａに対して異なる物理チャンネルによる再サーチ（ステップＳ１１０）を行うよう指示する。
【００６０】
以上に説明した本実施形態によれば、複数放送局の同一ネットワークを形成する運用形態、つまり同一ＴＳＩＤを複数放送局で併用し、且つ同一ＴＳＩＤの放送局間で同一番組に対して同一イベントＩＤを付加することが規定されている運用形態において、受信感度が低下したとしても、同一番組を受信できる確率を高めることができる。
【００６１】
これによりユーザは、検出された同一番組を放送しているのが中継局か否かにかかわらず、同一番組を継続的に視聴することが可能ある。また、ユーザ指定された放送局と異なる放送局が選局され、ユーザの意図しない番組が受信されるといった事態を回避することができる。
【００６２】
次に、本発明の第二の実施形態について、図面を参照しつつ説明する。
［実施の形態２］
〈２−１．内部構成について〉
実施の形態１と同内容であるため、ここでは説明を省略する。
〈２−２．機能部の構成について〉
実施の形態１の図１と同様の構成であるが、検出部１４ｃの機能が一部異なる。本実施形態の検出部１４ｃは、指定放送波のＴＳＩＤと受信した放送波のＴＳＩＤとが一致する場合に、ユーザ指定された番組の放送終了時刻をＥＰＧ（＝番組情報）等から取得し、該当番組が既に終了しているか否かを判定する。
【００６３】
これは例えば、ユーザ指定された番組の検出中に、当該番組が終了して他の番組に切り替わる可能性を想定したものである。例えば図５に示すバラエティＡからニュースＡへ切り替わるタイミングがこれに該当する。
【００６４】
このタイミングでは、バラエティＡ、つまりイベントＩＤが０ｘ２０００である番組をユーザが指定していたとしても、既に放送が終了したため０ｘ２０００のイベントＩＤを検出することが不可能となる。よって不要な検出処理が発生する可能性がある。
【００６５】
このため、指定された番組が既に放送終了している場合は、イベントＩＤのチェックを行わず、ＴＳＩＤが一致した放送波をイベントＩＤの値にかかわらず受信するよう、サーチ部１４ａを制御する。
〈２−３．番組検出処理について〉
ここで、本発明の第二の実施形態に係る車載用受信装置１００が実施する番組検出処理の処理フローについて、図８のフロー図を用いながら説明する。なお、実施の形態１の図６と同一の処理については、同じステップ番号を付加することにより説明を省略するものとする。
【００６６】
図８に示すように、ステップＳ１４０の実施後、検出部１１ｃはステップＳ１４１において、ユーザ指定された番組が放送終了しているか否かを判定する。なおこの判定は、例えばＥＰＧに示されている放送終了時刻と現在時刻を比較することにより行う。
【００６７】
放送終了していない場合、ステップＳ１５０へ移行する。放送終了している場合、ステップＳ１４２へ移行し、含まれるイベントＩＤは異なるがＴＳＩＤが同一である放送波を受信対象とするよう、サーチ部１４ａへ指示する。或いは、本処理の開始時に受信中であった放送波、つまり受信感度が悪化した放送波を再び受信対象とするよう、サーチ部１４ａへ指示する形態でもよい。
【００６８】
なおステップＳ１４２において、ユーザが視聴中であった番組が既に終了していることを示すメッセージを含む画像信号を生成し、出力部２３より出力する形態でもよい。ステップＳ１４２が完了するとステップＳ１６０へ移行し、放送波の受信を開始する。
【００６９】
以上に説明した本実施形態によれば、番組検出処理中に検出対象とする番組が放送終了した場合に、番組検出処理を停止する。これにより、不要な処理が発生するのを回避することができる。
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００７０】
従って本発明は、以下の形態にも適用可能である。
【００７１】
（Ａ）上記実施形態では、本発明の番組検出処理を実施するデジタル放送受信装置として、車載用受信装置１００を例に説明しているが、これ以外のデジタル放送受信装置において実施する形態でもよい。例えば、ポータブルテレビやテレビ付き携帯電話等で実施する形態でもよい。
【００７２】
（Ｂ）上記実施形態では、本発明の各種処理にかかわる各機能部が、マイクロプロセッサ等の演算処理装置上で所定のプログラムを実行することにより実現されているが、各種機能部が複数の回路により実現される形態でもよい。
【００７３】
（Ｃ）上記実施形態では、受信感度の低下が検知された時点で番組検出処理を必ず実施しているが、番組検出処理を実施するか否かの指示を予め設定画面等によりユーザより受け付け、番組検出処理の実行／非実行を切り換える形態でもよい。これにより例えば、同一番組の継続受信よりも受信状態の良い他番組の受信をユーザが優先したい場合において、不要な処理が発生するのを回避することができる。
【００７４】
（Ｄ）上記実施形態では、サーチ部１４ａがサーチ対象とする物理チャンネルを、チャンネルテーブルを用いて決定しているが、これ以外の方法により決定する形態でもよい。例えば、全物理チャンネル（地上デジタル放送であればＵＨＦ帯の１３ｃｈ〜６２ｃｈの全５０ｃｈ）をサーチ対象とする形態でもよい。これにより検出部１４ｃは、全物理チャンネルの中からＴＳＩＤ及びイベントＩＤが一致する同一番組を検出することが可能である。
【００７５】
（Ｅ）上記実施形態では、番組検出処理を実施する条件として、受信感度低下を検知したことを条件としているが、これ以外の条件を用いる形態でもよい。例えば、視聴予約や録画予約のように、受信対象とする番組が予め定められている選局動作が実施され、且つ選局後の受信感度が所定の閾値を下回る場合に、上記の番組検出処理を実施する形態でもよい。この場合、視聴予約または録画予約された番組のイベントＩＤを、ＥＰＧ等から取得する。そして取得したイベントＩＤを、図６のステップＳ１５０（イベントＩＤの比較処理）において、受信中であった番組のイベントＩＤの代わりに用いる。
【符号の説明】
【００７６】
１００    車載用受信装置（デジタル放送受信装置）
１１      チューナ（放送受信部）
１２      復調部（放送受信部）
１３      操作入力部
１４      ＣＰＵ
１４ａ    サーチ部（受信制御部）
１４ｂ    テーブル作成部
１４ｃ    検出部
１５      ＲＡＭ（記録部）
１６      ＲＯＭ
１７      オーディオフィルタ
１８      オーディオデコーダ
１９      ビデオフィルタ
２０      ビデオデコーダ
２１      データフィルタ
２２      データデコーダ
２３      出力部
【図１】
2012160808.tif 000003
【図２】
2012160808.tif 000004
【図３】
2012160808.tif 000005
【図４】
2012160808.tif 000006
【図５】
2012160808.tif 000007
【図６】
2012160808.tif 000008
【図７】
2012160808.tif 000009
【図８】
2012160808.tif 000010